(57)【要約】【課題】  異なるメディアの情報を整合して、データの同期、リアルタイム、対話型応答の目的を達成するクロスメディアデータ整合システムを提供する。【解決手段】  インターネット、電信ネットワーク、及びディジタルマスメディアネットワークの間に構築されるメディアプラットフォームと、及びクロスメディアセンターとを具えてなり、該メディアプラットフォームはコンピュータ、携帯電話機、テレビジョン等を含む。メディアプラットフォームが外部にデータを送信する場合、データを送信する該メディアプラットフォームであるソースメディアプラットフォームが、対応するネットワークを介してデータを該クロスメディアセンターに送信し、ターゲットプラットフォームとなる該メディアプラットフォームが、該クロスメディアセンターから必要とするデータを得て後続の処理に供する。【選択図】  図１
2005229585.tif 000002
【特許請求の範囲】
【請求項１】
少なくとも一以上のコンピュータと少なくとも一以上の携帯電話機と少なくとも一以上のテレビジョン等を含むメディアプラットフォームと、及びクロスメディアセンターとを具えてなり、
該メディアプラットフォームとクロスメディアセンターは、インターネット、電信ネットワーク、及びディジタルマスメディアネットワークの間に構築され、該メディアプラットフォームがこれらネットワークを介して各種のデータを送信し、一メディアプラットフォームが外部にデータを送信する場合、
データを送信する該メディアプラットフォームであるソースメディアプラットフォームが、対応するネットワークを介してデータを該クロスメディアセンターに送信し、
ターゲットプラットフォームとなる該メディアプラットフォームが、該クロスメディアセンターから必要とするデータを得て後続の処理に供するステップを含むことを特徴とするクロスメディアデータ整合システム。
【請求項２】
前記携帯電話機、テレビジョン、コンピュータ等のメディアプラットフォームにそれぞれアプリケーションプログラミングインタフェースを設けてなり、それぞれのメディアプラットフォームが、データを予め所定のフォーマットに転換し、更に該メディアプラットフォームの対応するネットワークを介して該クロスメディアセンターに送信し、保存し、該メディアプラットフォームが該クロスメディアセンターから必要とするデータを得て、且つこれらデータを互いに整合して同一のメディアプラットフォームに表現できるように構成することを特徴とする請求項１に記載のクロスメディアデータ整合システム。
【請求項３】
前記携帯電話機が、データを該電信ネットワークに送信する場合、該電信ネットワークが予めアプリケーションプログラミングインターフェースを介して、該データを所定の送信フォーマットに転換し、更に該所定のフォーマットのデータを該クロスメディアセンターに送信して保存し、該コンピュータ、テレビジョンが、それぞれインターネットとディジタルマスメディアネットワークを介して該クロスメディアセンターに保存した所定のフォーマットのデータを得ることを特徴とする請求項２に記載のクロスメディアデータ整合システム。
【請求項４】
前記コンピュータが、各種異なるアプリケーションプログラムで完成させたデータを、ネットワークサーバのデータベースにインターネットを介して送信し、該ネットワークサーバが同時にアプリケーションプログラムインターフェースを介して所定の送信フォーマットに転換し、更に転換したデータを該クロスメディアセンターに送信して保存し、該携帯電話機とテレビジョンが、該電信ネットワークと該ディジタルマスメディアネットワークを介して該クロスメディアセンターに保存した所定の送信フォーマットの該データを得ることを特徴とする請求項２に記載のクロスメディアデータ整合システム。
【請求項５】
前記ディジタルマスメディアネットワークが、必要とするデータを該クロスメディアセンターからアプリケーションプログラムインターフェースを介して所得した後、予めメディアデータベースに保存し、該メディアデータベースによって、該ディジタルマスメディアネットワークのデータに変動が起きた場合、該クロスメディアセンターのコンテンツに影響を与えないように維持することを特徴とする請求項２に記載のクロスメディアデータ整合システム。
【請求項６】
前記メディアプラットフォームの必要とするコンテンツについては、取得した所定の送信フォーマットのデータをリアルタイムエディットプラットフォームにおいて自動化、半自動化、もしくは手作業で編集を行い、更に編集したデータをデータコンテンツの合併作業を行い、該ディジタルマスメディアネットワークのテレビ番組のコンテンツに該コンピュータ、もしくは該携帯電話機からのメッセージを表示することを特徴とする請求項５に記載のクロスメディアデータ整合システム。
【請求項７】
前記リアルタイムエディットプラットフォームにおいて編集したデータを該クロスメディアセンターにアプリケーションプログラミングインターフェースを介して送信し、更に該電信ネットワーク、もしくは該インターネットを介して該コンピュータか、該携帯電話機に送信して後続の処理に供することを特徴とする請求項６に記載のクロスメディアデータ整合システム。
【発明の詳細な説明】
【技術分野】
【０００１】
この発明は、インターネット、電信ネットワーク、及びディジタルマスメディアネットワークをクロスメディアセンターを利用してデータを整合するクロスメディアデータ整合システムに関する。
【背景技術】
【０００２】
工業技術の急速な発展によって、様々な技術領域における製造業者が研究開発、生産を重ねた結果、新規なツールが次々と製品化されてきた。これらツールの提供する機能によって、人々の生活はますます便利になってきた。例えば無線電報機、電報機、電話機、携帯電話機等の電信システムに係る発明は、それ以前の書簡によって連絡し、コミュニケーションを図る方式を大きく変えた。
【０００３】
また、ラジオ、テレビなどが発明されてからは、情報の伝達は口コミ、もしくは平面のメディア（新聞紙、雑誌など）の方式で伝達する必要がなくなった。特にラジオ、テレビなどの伝統的なマスメディアシステムは、リアルタイムによる情報の伝送、広範囲の放送領域、音声、光の効果等の特性を具え、各種のハードウェアを介して情報をリモート伝送（例えば中継車）することができ、遠く離れた受信者であってもリアルタイムで現場の実況を聞いたり見たりすることができる。よって、長い時間待つ必要もなく、事件発生の状況を想像したりする必要が無くなった。このため、新聞、雑誌等の時効性に欠ける平面のメディアは次第に衰えている。
【０００４】
また、近年になって電子産業が急速に発展してきた。各種の製品はディジタル化を目指して発展している。いわゆる「ディジタル時代」と称する時代である。このディジタル時代において最も重要な発明はインターネットである。インターネットは従来のマスメディアにおける単一方向の伝達方式を覆すものである。また、高速、パラレル化、双方からの対話形式、クロスエリア、クロスシステム、整合性等の特性を具え、最もグローバルな伝送ネットワークとなった。このため、テレビ、ラジオなどのマスメディアシステムはいずれもディジタル化に向けて努力した。そして、ネットワークテレビ、セットアップボックス、ディジタルテレビなどの製品を開発した。このため伝統的なマスメディアシステムはディジタルコンテンツの方式でインターネットと結合し、ディジタルマスメディアシステムとなった。そして、更に好ましい伝送速度と品質を提供して新規なハードウェアに表現し、双方からの対話型のコミュニケーションを達成した。
【０００５】
言語を中心とするアナログ電信ネットワークは、ディジタル化と無線通信技術の発展により、好ましい伝送速度と品質のディジタル電信ネットワークとなった。携帯電話機を例に挙げれば、本来のアナログ信号をディジタル信号に転換し、ディジタル信号は２Ｇ、２．５Ｇ、３Ｇ、甚だしくはＮＧＳにまで発展しようとしている。その応用範囲は本来の固定的で狭い音声通信から、あらゆるものを内包するデータの伝送に転換している。例えばショートメッセージサービスによる文字のメッセージ伝送、もしくはマルチメディアメッセージサービスによる文字、ピクチャ、着信音、画像、音声等の伝送などは、メッセージの内容がアクティブで、音声、視覚的効果を有するものである。よって、従来の単純で簡単な文字だけのものではなく、伝統的なあらゆる音声通信方式を覆すものである。このため、携帯電話機は、最も普及したパーソナルデバイスとなっている。その速度、双方向性はディジタル電信ネットワークの最大の特性である。
【０００６】
以上をまとめると、ディジタルマスメディアシステム、ディジタル電信ネットワーク、及びインターネットの三種類のシステムは、共通の特性を有する。即ち、更に速い伝送速度、更に多くの伝送コンテンツ、及びさらに好ましい品質を提供することである。目下の実務的な応用の現況を見れば、インターネットと電信ネットワークは既に数種類の対話型コミュニケーションを応用している。例えば上述するように携帯電話機でショートメッセージを発信し、携帯電話機のアプリケーションプログラムと電信ネットワークを利用してインターネットのサーバにアップロードし、伝言板のメッセージとするか、もしくはブラウザ、サーバ、携帯電話機のアプリケーションプログラムを利用してショートメッセージのコンテンツを、その他携帯電話機に直接送信することができ、これらはいずれも目下よく見られるディジタル電信ネットワークとインターネットの間のデータ伝送である。
【０００７】
ディジタルマスメディアシステムの角度から見れば、該システムは電信ネットワーク、インターネット等を応用してツールとするか、もしくはサービスを提供するものである。例えば電信ネットワークのショートメッセージを利用したアンケート調査、対話型音声応答を利用した投票、インターネットを利用した投票、もしくはインターネットを利用したディスカッション、発言の場などである。但し係る応用は、いずれも情報収集と素材の応用であって、三種類のネットワークにおいて、本当の意味での情報交換、対話型応答の効果を達成するものではない。即ち、本来の意味におけるリアルタイムの情報交換の目的を達成していない。
【発明の開示】
【発明が解決しようとする課題】
【０００８】
この発明は、異なるメディアの情報を整合して、データの同期、リアルタイム、対話型応答の目的を達成するクロスメディアデータ整合システムを提供することを課題とする。
【課題を解決するための手段】
【０００９】
そこで本発明者は、従来の技術に鑑み鋭意研究を重ねた結果、少なくとも一以上のコンピュータと少なくとも一以上の携帯電話機と少なくとも一以上のテレビジョン等を含むメディアプラットフォームと、及びクロスメディアセンターとを具えてなるクロスメディアデータ整合システムによって課題を解決できる点に着眼し、係る知見に基づき本発明を完成させた。
以下、この発明について具体的に説明する。
【００１０】
請求項１に記載するクロスメディアデータ整合システムは、少なくとも一以上のコンピュータと少なくとも一以上の携帯電話機と少なくとも一以上のテレビジョン等を含むメディアプラットフォームと、及びクロスメディアセンターとを具えてなり、
該メディアプラットフォームとクロスメディアセンターは、インターネット、電信ネットワーク、及びディジタルマスメディアネットワークの間に構築され、該メディアプラットフォームがこれらネットワークを介して各種のデータを送信し、一メディアプラットフォームが外部にデータを送信する場合、
データを送信する該メディアプラットフォームであるソースメディアプラットフォームが、対応するネットワークを介してデータを該クロスメディアセンターに送信し、
ターゲットプラットフォームとなる該メディアプラットフォームが、該クロスメディアセンターから必要とするデータを得て後続の処理に供するステップを含む。
【００１１】
請求項２に記載するクロスメディアデータ整合システムは、請求項１における携帯電話機、テレビジョン、コンピュータ等のメディアプラットフォームにそれぞれアプリケーションプログラミングインタフェースを設けてなり、それぞれのメディアプラットフォームが、データを予め所定のフォーマットに転換し、更に該メディアプラットフォームの対応するネットワークを介して該クロスメディアセンターに送信し、保存し、該メディアプラットフォームが該クロスメディアセンターから必要とするデータを得て、且つこれらデータを互いに整合して同一のメディアプラットフォームに表現できるように構成する。
【００１２】
請求項３に記載するクロスメディアデータ整合システムは、請求項２における携帯電話機が、データを該電信ネットワークに送信する場合、該電信ネットワークが予めアプリケーションプログラミングインターフェースを介して、該データを所定の送信フォーマットに転換し、更に該所定のフォーマットのデータを該クロスメディアセンターに送信して保存し、該コンピュータ、テレビジョンが、それぞれインターネットとディジタルマスメディアネットワークを介して該クロスメディアセンターに保存した所定のフォーマットのデータを得る。
【００１３】
請求項４に記載するクロスメディアデータ整合システムは、請求項２におけるコンピュータが、各種異なるアプリケーションプログラムで完成させたデータを、ネットワークサーバのデータベースにインターネットを介して送信し、該ネットワークサーバが同時にアプリケーションプログラムインターフェースを介して所定の送信フォーマットに転換し、更に転換したデータを該クロスメディアセンターに送信して保存し、該携帯電話機とテレビジョンが、該電信ネットワークと該ディジタルマスメディアネットワークを介して該クロスメディアセンターに保存した所定の送信フォーマットの該データを得る。
【００１４】
請求項５に記載するクロスメディアデータ整合システムは、請求項２におけるディジタルマスメディアネットワークが、必要とするデータを該クロスメディアセンターからアプリケーションプログラムインターフェースを介して所得した後、予めメディアデータベースに保存し、該メディアデータベースによって、該ディジタルマスメディアネットワークのデータに変動が起きた場合、該クロスメディアセンターのコンテンツに影響を与えないように維持する。
【００１５】
請求項６に記載するクロスメディアデータ整合システムは、請求項５におけるメディアプラットフォームの必要とするコンテンツについて、取得した所定の送信フォーマットのデータをリアルタイムエディットプラットフォームにおいて自動化、半自動化、もしくは手作業で編集を行い、更に編集したデータをデータコンテンツの合併作業を行い、該ディジタルマスメディアネットワークのテレビ番組のコンテンツに該コンピュータ、もしくは該携帯電話機からのメッセージを表示する。
【００１６】
請求項７に記載するクロスメディアデータ整合システムは、請求項６におけるリアルタイムエディットプラットフォームにおいて編集したデータを、該クロスメディアセンターにアプリケーションプログラミングインターフェースを介して送信し、更に該電信ネットワーク、もしくは該インターネットを介して該コンピュータか、該携帯電話機に送信して後続の処理に供する。
【発明の効果】
【００１７】
本発明のクロスメディアデータ整合システムは、異なるネットワークに各形態のメディアプラットフォームの情報を整合し、それぞれのメディアプラットフォームに出力してデータの同期、リアルタイム、対話型応答の目的を達成するという利点がある。
【発明を実施するための最良の形態】
【００１８】
この発明はクロスメディアデータ整合システムを提供するものであって、インターネット１と、電信ネットワーク２と、及びディジタルマスメディアネットワーク３との間にクロスメディアセンター（ＣＭＣと称する）４を設ける。また、インターネット１、電信ネットワーク２、及びディジタルマスメディアネットワーク３などのネットワークは、それぞれ少なくとも一以上のコンピュータ５０、携帯電話機５１、テレビジョン５２などのメディアプラットフォーム５に接続し、該コンピュータ５０、携帯電話機５１、テレビジョン５２の間において、インターネット１か、電信ネットワーク２か、もしくはディジタルマスメディアネットワーク３を介してそれぞれのデータを互いに受信するか、もしくは送信する。仮にメディアプラットフォーム５の内の一がソースメディアプラットフォーム（例えばコンピュータ）であって、データをターゲットメディアプラットフォームである形態の異なる他のメディアプラットフォーム５に送信しようとする場合、該ソースメディアプラットフォームであるメディアプラットフォーム５が対応するネットワークを介して予めデータをクロスメディアセンター４に送信し、ターゲットテーブルであるメディアプラットフォーム５は、該クロスメディアセンター４から必要とするデータを得る。即ち、これらネットワークに接続するコンピュータ５０、携帯電話機５１、テレビジョン５２などの全てのメディアプラットフォーム５は、いずれもクロスメディアセンター４から必要とする各種のデータを得ることができ、互いに整合することによって、それぞれのメディアプラットフォーム５上において同一の出力結果（例えば同様の画面）が得られる。よって、データの同期、リアルタイム、対話型応答の目的を達成することができる。
【００１９】
この発明において、コンピュータ５０、携帯電話機５１、テレビジョン５２などにはそれぞれアプリケーションプログラミングインターフェースを設ける。よって、これらメディアプラットフォーム５は該アプリケーションプログラミングインターフェースを利用して、それぞれのメディアプラットフォーム５が有するデータを所定の送信フォーマットに変換し、更にそれぞれのメディアプラットフォーム５に対応するネットワークを介してクロスメディアセンター４に送信して保存する。よって、これらメディアプラットフォーム５はクロスメディアセンター４から必要とするデータを得ることができる。よって、これらデータが容易に整合することができ、且つ個々のメディアプラットフォーム５上に整合した様々なデータを表現することができる。
【００２０】
目下、携帯電話通信のプロバイダは一般に例えばショートメッセージ、携帯電話式自動観測システム（ＭＭＳ）、データストリームメディア等のデータサービスを提供している。即ち、電信ネットワークを介して携帯電話機の間で互いに転送するか、もしくはコンピュータを利用し、インターネットを介してサーバに伝送する。即ち、コンピュータの発信するショートメッセージ、携帯電話式自動観測システム、データストリームメディア等のデータを電信ネットワークプロバイダの提供するインターネットを介して伝送し、該電信ネットワークプロバイダのサーバは、該データを電信ネットワークの電信交換機に送信する。よって、該電信ネットワークを介して携帯電話機に送信するか、もしくは携帯電話機から電信ネットワークとインターネットを介してインターネットに属するサーバ内のデータ（例えば電子メール、もしくはリアルタイム通信）を読み取ることができる。
【００２１】
ディジタルマスメディアネットワークの技術も上述と略同様の方法である。よって、ディジタル番組のデータをコンピュータ、もしくはテレビビジョンに標示することができる。但し、コンピュータ、携帯電話機、及びテレビジョンとの間においては、二方向の信号の伝送しか行うことができない。即ち、コンピュータと携帯電話機、もしくはコンピュータとテレビジョンとの間の送信であって、三方向のコミュニケーションを行うことができない。この発明は、係る問題を解決するものであって、この発明の実際の実施態様を更に一歩進んで理解するために、実例を挙げて以下に説明する。
【００２２】
携帯電話機５１がデータを電信ネットワーク２に伝送する場合、電信ネットワーク２は、予めアプリケーションプログラミングインターフェースを介して、該データを所定の送信フォーマットに転換し、更に該所定の送信フォーマットに転換したデータをクロスメディアセンター４に送信して保存する。よって、コンピュータ５０、及びテレビジョン５２はインターネット１、及びディジタルマスメディアネットワーク３を介してクロスメディアセンター４に保存した特定のフォーマットのデータを得ることができる。
【００２３】
インターネット１を応用する上で、その構造は電信ネットワーク２と略同様である。コンピュータ５は各種異なるアプリケーションプログラムによって完成させた文字、ピクチャ、電子メール、ストリームメディア等のデータを、インターネット１を介してネットワークサーバのデータベースに送信する。該ネットワークサーバは、メディア転換用の所定のアプリケーションプログラムインターフェースを介して、所定の送信フォーマットのデータをクロスメディアセンター４に送信して保存する。このため、携帯電話機５１とテレビジョン５２は電信ネットワーク２とディジタルマスメディアネットワーク３を介して、該クロスメディアセンター４に保存した所定の送信フォーマットのデータを得ることができる。
【００２４】
ディジタルマスメディアネットワーク３を応用する場合、メディア転換用のアプリケーションプログラムインターフェースを介して、クロスメディアセンター４からデータを所得する以外に、データとマスメディアとを結合する効果を達成することができる。
【００２５】
ディジタルマスメディアネットワーク３は、必要とするデータをクロスメディアセンター４からアプリケーションプログラムインターフェースを介して取得した後、予めメディアデータベースに保存する。該メディアデータベースは、ディジタルマスメディアネットワークのデータに変動が起きた場合、クロスメディアセンター４のコンテンツに影響を与えないように維持するためのものである。
【００２６】
メディアプラットフォーム５の必要とするコンテンツについては、取得した所定の送信フォーマットのデータをリアルタイムエディットプラットフォームにおいて自動化、半自動化、もしくは手作業で編集を行い、更に編集したデータをディレクターなどのディジタルコンテンツを作成する副制御室等の関係者に渡し、データコンテンツの合併作業を行う。よって、該ディジタルマスメディアネットワーク３のテレビ番組のコンテンツにコンピュータ５０、もしくは携帯電話機５１からのメッセージを表示することができ、更に編集した後のデータは、メディア転換用のアプリケーションプログラミングインターフェースを介してクロスメディアセンター４に送信し、インターネット１、もしくは電信ネットワーク２を介してデータをコンピュータ５０、もしくは携帯電話機５１に送信することができる。
【００２７】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００２８】
【図１】この発明によるクロスメディアデータ整合システムの構造を示した説明図である。
【符号の説明】
【００２９】
１…インターネット
２…電信ネットワーク
３…ディジタルマスメディアネットワーク
４…クロスメディアセンター
５…メディアプラットフォーム
５０…コンピュータ
５１…携帯電話機
５２…テレビジョン
【図１】
2005229585.tif 000003
【外国語明細書】
CROSS MEDIA INFORMATION INTEGRATION
SYSTEM    
FIELD OF THE INVENTION
The present
invention relates to a cross media information integration system, more
particularly to a system that utilizes a cross media center in between Internet,
telecommunication network and mass media network for exchanging different kinds
of data/information and enabling the data/information among these networks to
be integrated and outputted to media platforms of different types.
BACKGROUND OF THE INVENTION
Since
the industrial technology is blooming, therefore new tools are introduced unceasingly
into companies for performing the research and development and production or
manufacturing products, and thus the functions provided by various tools make
our life more convenient.  For
example, the invention of telecommunication systems such as radio transmitters,
telegram machines, telephones and mobile phones, etc. greatly enhances and changes
the original correspondence or communication method of writing letters.
Further, the transmission of information
no longer depends on oral communication between people or plane media (such as a
newspaper or a magazine) after the invention of a broadcasting station and a television,
etc; particularly the mass media of the broadcasting station and television
have the features of delivering instant information and having a broad area
coverage and audio/video effects, and also being capable of delivering
information through various hardware such as the life television vehicle, so
that people at thousands of miles away can timely hear or see the scene of the
commentary and no longer need to wait for a long time or imagine the situation
of the event out of thin air anymore. 
Thus, plane media such as newspapers and magazines having a poor promptness
gradually die down.
Further, the
electronic industry is blooming in recent years, so that various products are
developed in the electronic direction and there is a so-called “Digital
Era”.   An important invention
in the digital era is Internet which overthrows the one-way broadcasting method
of the mass media in the past and features fast speed, parallelism,
bidirectional interaction, cross areas and cross system integration.  Internet has become the world’s largest
broadcasting network, so that the original mass media systems including the
broadcasting station and television are putting in their efforts in
digitization to develop products such as a network broadcasting station, a
set-top-box or a digital television, etc, so that the traditional mass media
systems can be connected to Internet by the method of using digital contents to
constitute a digital mass media system, and providing a better transmission
rate and quality to new hardware for two-way communications.  With the development of the digitized
and wireless communication technology, an analog telecommunication network
primarily based on voices becomes a digital telecommunication network with
better transmission rate and quality. 
For example, mobile phones originally converts analog signals into
digital signals, and the digital signal is developed progressively from 2G,
2.5G, and 3G to NGS, and the scope of its application is expanded from the
original fixed voice communications to data transmission that covers almost
everything, such as the short message service (SMS) for transmitting text information
or Multimedia Messaging Service (MMS) for
transmitting text, graphics, ring tones, images, voices, and the content of the
aforementioned information shows the dynamic feeling with sound and light
instead of simple short writing. 
Such arrangement overthrows all traditional voice communication methods,
so mobile phones have become the most popular and convenient portal device.
Speed and bidirectional communications are still the major features of such
digital telecommunication network.
In
summation of the description above, the common features for three kinds of
systems: “Digital Mass Media System”, “Digital Telecommunication Network” and
“Internet” reside on providing a faster transmission, more transmitted contents
and better quality.  According to
the present situations of practical applications, Internet and
telecommunication network have developed several kinds of communication
applications; for examples, the foregoing handset is used to send short
messages, and these short messages can be posted onto an Internet server
through an application program of the handset and telecommunication network to
become a discussion forum for users to leave their messages.  Alternatively, the contents of the short
messages are sent directly to other handsets through the application programs
of browsers, servers and handsets. 
Data transmissions of this sort are common between “Digital
Telecommunication Network” and “Internet”.  However, the telecommunication network
and Internet are used as a tool or a service provider all the time, such as
using the short messages in the telecommunication network for doing surveys,
the IVR function for voting, the Internet for voting, or the Internet as a
discussion forum for discussing and posting ideas.  From the viewpoint of digital mass media
system, the applications of these sorts are simply applications of collecting
information and source materials, and do not allow any exchange of information
and interactions among the three networks. 
In other words, such arrangement cannot really achieve the objective of
exchanging information instantly.
SUMMARY OF THE INVENTION
In
view of the shortcomings of the prior art, the inventor of the present
invention conducted extensive researches and experiments, and finally developed
and invented a cross media information integration system.  The cross media information integration
system in accordance with the invention comprises at least one computer, at
least one handset and at least one media platform such as a television and a
cross media center; wherein the media platform is built individually on the end
of Internet, telecommunication network and mass media network, so that
different information among the computer, handset, and television can be sent
or received through Internet, telecommunication network or digital mass media
network, and the cross media center is connected to these networks.  If any of the source media platforms
(such as a computer) is going to send data/information to a target media
platform of a different type, the source media platform will use its corresponding
network to send the data/information to the cross media center first, so that
different kinds of data/information from the media platforms of different types
among these networks are integrated and outputted to each media platform to
achieve the data synchronization and the instant and interactive purposes.  
The above and
other objects, features and advantages of the present invention will become apparent
from the following detailed description taken with the accompanying drawing.
BRIEF DESCRIPTION OF THE DRAWINGS
FIG.
1 is an illustrative view of the structure of the present invention.  
DETAILED
DESCRIPTION OF THE PREFERRED EMBODIMENTS
The present
invention discloses a cross media information integration system which
comprises a cross media center 4 (CMC) among an Internet 1, a telecommunication
network 2 and a digital mass media network 3, and the Internet 1, the telecommunication
network 2 and the mass media network 3 are individually connected to at least
one media platform 5 selected from a computer 50, a handset 51 or a television
52, such that all kinds of data/information among the computer 50, handset 51
and television 52 can be transmitted and received through the Internet 1, telecommunication
network 2 or digital mass media network 3. 
If one of the source media platform 5 (such as the computer) is going to
send data/information to a target media platform 5 of a different type, then
the source media platform 5 uses its corresponding network to send the
data/information to the cross media center 4 first, and the target media
platform 5 obtains the required data/information from the cross media center 4,
and further allows all media platforms such as the computer 50, handset 51 and
television 52 among those networks to obtain the required data/information from
the cross media center 4 and integrate the data/information, such that each
media platform 5 shows the same outputted result (such as the same screen) in
order to achieve the purpose of having synchronous, instant and interactive
information.
In the present invention, the media
platform 5 including the handset 51, television 51 and computer 50 individually
has an application program interface, so that the media platforms 5 can use the
application program interface to convert the data coming from each media
platform 5 into a specific transmission format, and then the corresponding
networks of the media platforms 5 send the data to the media cross center 4 for
storage.  Therefore, the media platforms
5 can obtain the required data/information from the cross media center 4 and
integrate and display the data/information on the same media platform 5 easily.
The
various services provided by current handsets such as the data/information of
the short message, MMS and streaming media are transmitted between the telecommunication
network and the handset or the data/information such as the short message, MMS
and streaming media sent from the computer is sent from the Internet to the
server of the telecommunication network service provider by using a computer through
the Internet server, so that the server of the telecommunication network
service provider can send the data/information to the telecommunication
switchboard of the telecommunication network, and further from the telecommunication
to the handset or read the data/information (such as email or instant communication)
in the Internet server by the handset through the telecommunication network and
Internet.  The digital mass media
network also adopts the same technique to display the data/information on a
computer or a television.  However,
the signals can only be sent two-way among the computer, handset and
television; that is, a mutual transmission between the computer and the handset
or between the computer and the television.  Such arrangement is unable to achieve a
three-way communication, but the present invention can solve this problem.  To make it easier for our examiner to
understand the objective of the invention, its structure, innovative features,
and performance, we use a preferred embodiment together with the attached
drawings for the detailed description of the invention.
When
a handset 51 sends its data/information to a telecommunication network 2, the telecommunication
network 2 uses an application programming interface to convert the
data/information into a specific transmission format, and the data in such
specific format is sent to the cross media center 4 for the storage, such that
the computer 50 and the television 52 obtain the data/information in the
specific transmission format in the cross media center 4 from each Internet 1
and digital mass media network 3.
The
structure for the Internet applications is the same as that for the telecommunication
network 2.  If the computer 50 sends
the data including text, pictures, emails, and streaming media created by
different application programs to the database in the network server via
Internet 1, the network server also sends the data/information in the specific
transmission format to the cross media center 4 for storage at the same time by
a specific application programming interface, so that the handset 51 and the
television 52 obtain the data/information in the specific transmission format
in the cross media center 4 from each telecommunication network 2 and digital
mass media network 3.
Besides
obtaining data from the cross media center 4 by the application programming
interface, mostly important, the application of a digital mass media network 3
can attain the function of integrating data with the mass media.
After
the digital mass media network 3 has obtained the required data from the cross
media center 4 through the application programming interface, the data is saved
into a media database first, and the media database maintains the content of
the cross media center 4 when the data of the digital media network 3 is
changed.  The content required by
the media platform 5 obtains the data/information in a specific transmission format
automatically, semi-automatically or manually through a real time editing
platform for editing.  Then, the
edited data is sent to related staffs such as a director in the secondary
control room for producing the contents of digital programs and merging the
data contents, so that the contents of the television programs of the digital
mass media network 3 can be shown on a computer 50 or a handset 51 or sent to
the cross media center 4 through the application programming interface and further
to the computer 50 or the handset 51 through the Internet 1 or the
telecommunication network 2.
While
the invention has been described by means of specific embodiments, numerous
modifications and variations could be made thereto by those skilled in the art
without departing from the scope and spirit of the invention set forth in the
claims.
WHAT IS CLAIMED IS:
1.  A
cross media information integration system, comprising at least one computer,
at least one handset, at least one television media platform and a cross media
center, and said media platform and cross media center being constructed among the
Internet, a telecommunication network and a digital mass media network, such that
said media platform sends data through said networks and when one of said media
platforms media platform sends data/information out, the data transmission
comprises the steps of:
sending the
data/information of a source media platform from its corresponding network to
said cross media center; and
using a target
media platform to obtain required data/information from said cross media
center, such that said target media platform successfully receives said
data/information for a further processing.
2.  The
cross media information integration system of claim 1, wherein said handset,
television and computer media platforms individually comprising an application
programming interface, so that said media platforms use said application
programming interface to convert each data/information from each of said media
platforms into a predetermined transmission format, and then the corresponding
networks of said media platforms send said data/information to said cross media
center for storage, and said media platforms obtain said data/information from
said cross media center and integrate and display said data/information on a
same media platform.
3.         
The cross media information integration
system of claim 2, wherein said telecommunication network converts a
data/information transmitted from said handset to said telecommunication
network into a predetermined transmission format by said application
programming interface, and said data/information in said transmission format is
sent to said cross media center for storage, such that said computer and
television obtains said data/information in said transmission format in the
cross media center from each respective Internet and digital mass media
network.
4.         
The cross media information integration
system of claim 2, wherein said network server sends said data/information in
said transmission format to said cross media center for storage through a
specific application programming interface at the same time when said computer
sends a data/information produced by different application programs through
Internet to a database in said network server, thereby said handset and
television obtains said data/information in said specific transmission format
in said cross media center from each respective telecommunication network and
digital mass media network.
5.         
The cross media information integration
system of claim 2, wherein said digital mass media network obtains said
required data from said cross media center through said application programming
interface and then saves said data/information in said media database first, so
that said media database maintains the contents of said cross media center when
said digital mass media network changes its data.
6.         
The cross media information integration
system of claim 5, wherein said data transmission further
comprises the steps of obtaining said data/information in said specific
transmission format and required by said media platform for editing by a method
selected an automatic, a semi-automatic and manual methods, and merging the
contents of said data/information so that the television program of said mass
media network displays the information that said television program comes
selectively from said computer and handset.
7.         
The cross media information integration
system of claim 6, wherein said real time editing platform edits said
data/information, and then sends said data/information to said cross media
center through said application programming interface and then selectively to
said computer and handset for further processing selectively through said telecommunication
network and Internet.               
ABSTRACT OF THE INVENTION
The
present invention is to provide a cross media information integration system
comprising at least one computer, at least one handset and at least one media
platform, such as a television and a cross media center, built individually on
an end of Internet, telecommunication network and mass media network, so that
different types of information among the computer, handset, and television can
be sent or received between Internet, telecommunication network or digital mass
media network through the cross media center, enabling different kinds of
data/information from the media platforms of different types among these
networks to be integrated and outputted to each media platform to achieve the
data synchronization and the instant and interactive purposes.
2005229585.tif 000004